(57)【要約】【課題】画像の質を低下させることなく、記録媒体のベルトからの分離性を向上させたベルト搬送装置とそれを用いた画像形成装置を提供することを目的とする。【解決手段】記録媒体を搬送するベルトと、前記ベルトの内側に当接し表面に螺旋状の突条を形成した記録媒体分離ローラーと、を備えることを特徴とする。螺旋状の突条がベルトに当接することで、ベルトを変形させ、ベルト表面に波状のうねりを発生させ、記録媒体とベルトの間に間隙を形成し、記録媒体のベルトからの分離性を向上することができる。【選択図】図５
2010169920.tif 000002
【特許請求の範囲】
【請求項１】
記録媒体を搬送するベルトと、
前記ベルトの内側に当接し表面に螺旋状の突条を形成した記録媒体分離ローラーと、
を備えることを特徴とするベルト搬送装置。
【請求項２】
前記螺旋状の突条の螺旋の向きを前記記録媒体分離ローラーの軸方向の一方側と他方側で異なるように形成することを特徴とする請求項１に記載のベルト搬送装置。
【請求項３】
前記螺旋状の突条を当接点軌跡位置が前記ベルト一周において非整数倍になるように形成することを特徴とする請求項１または２に記載のベルト搬送装置。
【請求項４】
前記記録媒体分離ローラーを軸に対して回転自在とし前記ベルトに従動させることを特徴とする請求項１ないし３のいずれか１項に記載のベルト搬送装置。
【請求項５】
前記記録媒体分離ローラーを軸と一体とし、駆動手段により駆動することを特徴とする請求項１ないし３のいずれか１項に記載のベルト搬送装置。
【請求項６】
前記記録媒体分離ローラーを前記記録媒体の搬送方向の端部に位置し前記ベルトを巻き掛ける張架ローラーとすることを特徴とする請求項１ないし５のいずれか１項に記載のベルト搬送装置。
【請求項７】
前記記録媒体分離ローラーを前記記録媒体の搬送方向の端部に位置し前記ベルトを巻き掛ける張架ローラーの位置より前記記録媒体搬送方向の上流側に配置することを特徴とする請求項１ないし５のいずれか１項に記載のベルト搬送装置。
【請求項８】
静電潜像が形成される潜像担持体と、
前記静電潜像をトナーにより現像して前記潜像担持体にトナー像を現像する現像装置と、
前記潜像担持体のトナー像が転写される転写ベルトと、
前記転写ベルトのトナー像を記録媒体に転写する転写装置と、
前記記録媒体上のトナー像を定着する定着装置と、
を備え、
前記転写装置の記録媒体搬送手段として請求項１ないし７のいずれか１項に記載のベルト搬送装置を用いることを特徴とする画像形成装置。
【請求項９】
静電潜像が形成される潜像担持体と、
前記静電潜像をトナーにより現像して前記潜像担持体にトナー像を現像する現像装置と、
前記潜像担持体のトナー像が転写される転写ベルトと、
前記転写ベルトのトナー像を記録媒体に転写する転写装置と、
前記記録媒体上のトナー像を定着する定着装置と、
を備え、
前記定着装置は加熱ローラーと加圧ベルトを備え、前記定着装置の記録媒体搬送手段として請求項１ないし７のいずれか１項に記載のベルト搬送装置を用いることを特徴とする画像形成装置。
【発明の詳細な説明】
【技術分野】
【０００１】
本発明は、複写機、ファクシミリ、プリンター等の画像形成装置に備えられる紙等の記録媒体を搬送するベルト搬送装置と画像形成装置に関し、特に、画像の質を低下させることなく記録媒体をベルト表面から分離し紙詰まりを防止するベルト搬送装置と画像形成装置に関する。
【背景技術】
【０００２】
電子写真式の画像形成装置においては、一様に帯電した像担持体に画像情報を書き込み静電潜像を形成し、この静電潜像を現像装置により現像して可視像を形成し、その可視像を記録媒体に直接転写するか、または転写ベルトを介して記録媒体に転写し、可視像が転写された記録媒体を定着装置で定着することにより画像形成を行っている。
【０００３】
このような画像形成装置では、記録媒体のベルトへの巻き付きによる紙詰まりを防止するために、ベルトに記録媒体分離のための分離装置を配置することが提案されている。
【０００４】
特開平７−９２８２０号公報には、転写ベルトにより記録媒体を分離搬送して画像を形成する画像形成装置において、転写ベルトの記録媒体分離部のバックアップローラーに、軸方向に大径の凸部と小径の凹部を形成した分離ローラーを配置し、分離ローラーの凹部に対応する位置に、転写ベルト表面と非接触で、凸部の外径よりも軸心に近く突出させた爪部を有する分離部材を配置したベルト搬送装置が開示されている。
【０００５】
また、特開平１１−３３４９２４号公報には、駆動ローラーを含む複数の張架ローラーで張設されたベルトを駆動し、ベルトに保持された記録媒体を搬送する画像形成装置において、駆動ローラーを軸とともに回転する駆動部と、軸に従動する従動部とで構成し、従動部に駆動部より大径の凸部と駆動部より小径の凹部を形成し、駆動ローラー部から記録媒体が分離する際に記録媒体に駆動ローラーの軸心方向への波付けがなされ、記録媒体がベルトから分離する力を作用させ、記録媒体のベルトからの分離性能を向上させるベルト搬送装置が開示されている。
【先行技術文献】
【特許文献】
【０００６】
【特許文献１】特開平７−９２８２０号公報には、
【特許文献２】特開平１１−３３４９２４号公報
【発明の概要】
【発明が解決しようとする課題】
【０００７】
しかしながら、特開平７−９２８２０号公報に開示されたベルト搬送装置は、ベルトと非接触に爪部を設置するために精確な爪部の位置調整が必要であり、高い部品精度を求められ、コストアップの要因となっている。また、記録媒体は爪部のある部分から分離され、爪部の無い部分では記録媒体の分離が遅れるので分離放電による画像ムラが爪部と爪部の無い部分で発生する。さらに、記録媒体を分離するときに記録媒体上の画像部を爪部が擦れることで画像を乱すことがあり、安定した記録媒体のベルトからの分離と、高画質の画像を得ること、とを両立させることが困難であるという問題を有する。
【０００８】
また、特開平１１−３３４９２４号公報に開示されたベルト搬送装置は、駆動ローラーが、駆動部と凹凸部を有する従動部とで軸方向に明確に分離されており、凹凸部を有する従動部から記録媒体が分離され、駆動部からの記録媒体の分離が遅れるため、分離放電による画像ムラが凹凸部を有する従動部と駆動部で発生する。また、従動部の凸部が常時ベルトと接触しているため、ベルト表面に傷がつき画像品質の低下となる。
【０００９】
本発明は、上記従来技術の持つ課題を解決する、画像の質を低下させることなく、記録媒体のベルトからの分離性を向上させたベルト搬送装置とそれを用いた画像形成装置を提供することを目的とする。
【課題を解決するための手段】
【００１０】
本発明のベルト搬送装置は、前記課題を解決するために、記録媒体を搬送するベルトと、前記ベルトの内側に当接し表面に螺旋状の突条を形成した記録媒体分離ローラーと、を備えることを特徴とする。螺旋状の突条がベルトに当接することで、ベルトを変形させ、ベルト表面に波状のうねりを発生させ、記録媒体とベルトの間に間隙を形成し、記録媒体のベルトからの分離性を向上することができる。
【００１１】
また、本発明のベルト搬送装置は、前記螺旋状の突条の螺旋の向きを前記記録媒体分離ローラーの軸方向の一方側と他方側で異なるように形成することを特徴とする。螺旋状の突条の向きを異なるように形成することで、ベルト表面に記録媒体が追従できない複雑なうねりを発生させ、記録媒体とベルトの間に間隙を形成し、記録媒体のベルトからの分離性を向上することができる。
【００１２】
また、本発明のベルト搬送装置は、前記螺旋状の突条を当接点軌跡位置が前記ベルト一周において非整数倍になるように形成することを特徴とする。モアレ縞（干渉縞）の発生を防止できる。
【００１３】
また、本発明のベルト搬送装置は、前記記録媒体分離ローラーを軸に対して回転自在とし前記ベルトに従動させることを特徴とする。ベルトをスムーズに走行することができる。
【００１４】
また、本発明のベルト搬送装置は、前記記録媒体分離ローラーを軸と一体とし、駆動手段により駆動することを特徴とする。記録媒体のベルトからの分離性を向上することができ、かつ、ベルトの周速度に対して記録媒体分離ローラーの回転速度を制御することにより、ベルトの蛇行を防止することができる。
【００１５】
また、本発明のベルト搬送装置は、前記記録媒体分離ローラーを前記記録媒体の搬送方向の端部に位置し前記ベルトを巻き掛ける張架ローラーとすることを特徴とする。記録媒体分離ローラーをベルトの張架ローラーとして兼用できるので、ローラーの配置を少なくすることができる。
【００１６】
また、本発明のベルト搬送装置は、前記記録媒体分離ローラーを前記記録媒体の搬送方向の端部に位置し前記ベルトを巻き掛ける張架ローラーの位置より前記記録媒体搬送方向の上流側に配置することを特徴とする。記録媒体を次の工程に搬送する位置の近くで記録媒体のベルトからの分離を実施できる。
【００１７】
また、本発明の画像形成装置は、静電潜像が形成される潜像担持体と、前記静電潜像をトナーにより現像して前記潜像担持体にトナー像を現像する現像装置と、前記潜像担持体のトナー像が転写される転写ベルトと、前記転写ベルトのトナー像を記録媒体に転写する転写装置と、前記記録媒体上のトナー像を定着する定着装置と、を備え、前記転写装置の記録媒体搬送手段として上記のいずれか１つに記載のベルト搬送装置を用いることを特徴とする。転写部での記録媒体の紙詰まりを防止できる。
【００１８】
また、本発明の画像形成装置は、静電潜像が形成される潜像担持体と、前記静電潜像をトナーにより現像して前記潜像担持体にトナー像を現像する現像装置と、前記潜像担持体のトナー像が転写される転写ベルトと、前記転写ベルトのトナー像を記録媒体に転写する転写装置と、前記記録媒体上のトナー像を定着する定着装置と、を備え、前記定着装置は加熱ローラーと加圧ベルトを備え、前記定着装置の記録媒体搬送手段として上記のいずれか１つに記載のベルト搬送装置を用いることを特徴とする。定着部での記録媒体の紙詰まりを防止できる。
【図面の簡単な説明】
【００１９】
【図１】本発明の画像形成装置の実施形態の全体を示す図である。
【図２】本発明を二次転写部に適用した実施形態を示す図である。
【図３】本発明を二次転写部に適用した実施形態を示す図である。
【図４】本発明を定着部に適用した実施形態を示す図である。
【図５】記録媒体分離ローラーの一実施形態を示す図である。
【図６】螺旋状の突条のベルトへの当接によるベルトの変形状態を示す図である。
【図７】記録媒体分離ローラーの一実施形態を示す図である。
【図８】記録媒体分離ローラーの一実施形態を示す図である。
【図９】（ａ）（ｂ）記録媒体分離ローラーの回転速度とベルトの周速度が同じ場合を示す図である。
【図１０】（ａ）（ｂ）記録媒体分離ローラーの回転速度がベルトの周速度より速い場合を示す図である。
【図１１】（ａ）（ｂ）記録媒体分離ローラーの回転速度がベルトの周速度より遅い場合を示す図である。
【図１２】位置センサーの配置状態を示す図である。
【発明を実施するための形態】
【００２０】
以下、本発明の実施の形態を図面に基づいて説明する。図１は、本発明の画像形成装置の実施の形態の一例を示す図である。
【００２１】
図１に示すように、画像形成装置１０は、４つの画像形成ステーション１５（Ｙ、Ｍ、Ｃ、Ｋ）、中間転写ベルト７０、二次転写ユニット８０を有し、さらに、定着ユニット９０、ユーザへの報知手段をなし液晶パネルからなる表示ユニット（図示せず）、及び、これらのユニット等を制御し画像形成装置としての動作を司る制御ユニット（図示せず）を有している。
【００２２】
画像形成ステーション１５（Ｙ、Ｍ、Ｃ、Ｋ）は、それぞれ、イエロー（Ｙ）、マゼンタ（Ｍ）、シアン（Ｃ）、ブラック（Ｋ）のトナーで画像を形成する機能を有している。画像形成ステーション１５（Ｙ、Ｍ、Ｃ、Ｋ）の構成は同様であるので、以下、画像形成ステーション１５Ｙについて説明する。
【００２３】
画像形成ステーション１５Ｙは、図１に示すように、像担持体の一例としての感光体２０Ｙの回転方向に沿って、帯電ユニット３０Ｙ、露光ユニット４０Ｙ、現像ユニット５０Ｙ、一次転写ユニットを有している。
【００２４】
感光体２０Ｙは、円筒状の基材とその外周面に形成された感光層を有し、中心軸を中心に回転可能であり、本実施の形態においては、矢印で示すように時計回りに回転する。
【００２５】
帯電ユニット３０Ｙは、感光体２０Ｙを帯電するための装置である。露光ユニット４０Ｙからは、レーザを照射することによって帯電された感光体２０Ｙ上に潜像を形成する。
【００２６】
露光ユニット４０Ｙは、半導体レーザ、ポリゴンミラー、Ｆ−θレンズ等を有しており、パーソナルコンピューター、ワードプロセッサ等の不図示のホストコンピューターから入力された画像信号に基づいて、変調されたレーザを帯電された感光体２０Ｙ上に照射する。
【００２７】
現像ユニット５０Ｙは、感光体２０Ｙ上に形成された潜像を、イエロー（Ｙ）のトナーを用いて現像するための装置である。現像ユニット５０Ｙは、交換可能なトナーカートリッジからトナーが供給される現像室内に現像ローラー５１Ｙ、供給ローラー５２Ｙが配置され、現像ローラー５１Ｙには、規制ブレード５３Ｙが当接し現像ローラー５１Ｙ上のトナーを薄層化する。
【００２８】
一次転写ユニットは、一次転写部Ｂ１で一次転写ローラー６５Ｙにより一次転写バイアスが印加され、感光体２０Ｙに形成されたイエロートナー像を中間転写ベルト７０に転写する。各一次転写部Ｂ１、Ｂ２、Ｂ３、Ｂ４で４色のトナーが順次重ねて転写された場合には、中間転写ベルト７０にフルカラートナー像が形成される。
【００２９】
中間転写ベルト７０は、ベルト駆動ローラー７１ａ、従動ローラー７１ｂ、７１ｄ、７１ｅ、７１ｆに張架されたエンドレスのベルトであり、感光体２０（Ｙ、Ｍ、Ｃ、Ｋ）と当接しながら回転駆動される。
【００３０】
二次転写ユニット８０は、中間転写ベルト７０上に形成された単色トナー像やフルカラートナー像を紙、フィルム、布等の記録媒体に転写するための装置である。
【００３１】
定着ユニット９０は、加熱ローラー９０ａと加圧ベルト９０ｂにより構成され、記録媒体上に転写された単色トナー像やフルカラートナー像を記録媒体に融着させて永久像とするための装置である。
【００３２】
次に、このように構成された画像形成装置１０の動作について説明する。まず、不図示のホストコンピューターからの画像信号及び制御信号がインターフェイスを介して画像形成装置のメインコントローラーに入力されると、このメインコントローラーからの指令に基づくユニットコントローラーの制御により感光体２０Ｙ、現像ユニット５０Ｙに備えられた現像ローラー５１Ｙ、及び、中間転写ベルト７０等が回転する。感光体２０Ｙは、回転しながら、帯電位置において帯電ユニット３０Ｙにより順次帯電される。
【００３３】
感光体２０Ｙの帯電された領域は、感光体２０Ｙの回転に伴って露光位置に至り、露光ユニット４０Ｙによって、イエローＹの画像情報に応じた潜像が該領域に形成される。
【００３４】
感光体２０Ｙ上に形成された潜像は、感光体２０Ｙの回転に伴って現像位置に至り、現像ユニット５０Ｙによって現像される。これにより、感光体２０Ｙ上にトナー像が形成される。
【００３５】
感光体２０Ｙ上に形成されたトナー像は、感光体２０Ｙの回転に伴って一次転写部Ｂ１位置に至り、一次転写ユニットによって、中間転写ベルト７０に転写される。この際、一次転写ユニットでは、一次転写ローラー６５Ｙからトナーの帯電極性とは逆の極性の一次転写電圧が印加される。この結果、各感光体２０（Ｙ、Ｍ、Ｃ、Ｋ）上に形成された４色のトナー像は、中間転写ベルト７０に重なり合って転写され、中間転写ベルト７０上にはフルカラートナー像が形成される。
【００３６】
中間転写ベルト７０は、モータ等のベルト駆動手段からの駆動力がベルト駆動ローラー７１ａを介して伝達されることによって駆動される。
【００３７】
中間転写ベルト７０上に形成されたフルカラートナー像は、二次転写ユニット８０によって紙等の記録媒体に転写される。二次転写ユニット８０は、中間転写ベルト７０を挟んでバックアップローラーとしてのベルト駆動ローラー７１ａと二次転写ローラー８２が対峙している。二次転写ローラー８２からトナーと逆極性の二次転写電圧が印加され、中間転写ベルト７０に転写されたトナー像を記録媒体に二次転写する。記録媒体は、給紙トレイから、給紙ローラー、ゲートローラー９４、搬送ガイド９４ａを介して二次転写ユニット８０へ搬送される。
【００３８】
二次転写ユニット８０でフルカラートナー像が転写された記録媒体は、搬送ガイド９４ｂを介して定着ユニット９０に搬送される。定着ユニット９０は、ハロゲンヒータ等の発熱体を内蔵して所定の定着温度に温度制御されるとともに回転駆動される加熱ローラー９０ａと、２つの張架ローラー９０ｃ、９０ｄに張架された加圧ベルト９０ｂから構成される。定着ユニット９０で加熱加圧されてトナー像が記録媒体に融着される。定着ユニット９０の通過後、記録媒体は搬送ガイド９５ａを介して排紙ローラー９５により排紙される。
【００３９】
一方、感光体２０（Ｙ、Ｍ、Ｃ、Ｋ）は一次転写部Ｂ１、Ｂ２、Ｂ３、Ｂ４位置を経過した後に、除電ユニット（図示せず）によって除電され、次の潜像を形成するための帯電に備える。
【００４０】
二次転写後の中間転写ベルト７０の従動ローラー７１ｂ側に中間転写ベルトクリーニング装置（図示せず）が設置され、二次転写後の中間転写ベルト７０をクリーニングする。
【００４１】
図２は、本発明の記録媒体のベルトからの分離性を向上させる記録媒体分離ローラー１００を二次転写ユニット８０に適用した実施形態を示す図である。
【００４２】
二次転写ユニット８０は、中間転写ベルト７０を巻き掛ける張架ローラー７１ｄ、７１ｆとの間にベルト駆動ローラー７１ａが位置し、ベルト駆動ローラー７１ａをバックアップローラーとして二次転写ローラー８２が中間転写ベルト７０を介して当接し、二次転写部を形成する。記録媒体は、ゲートローラー９４、搬送ガイド９４ａを介して二次転写部に搬送され、二次転写ローラー８２からトナーと逆極性の二次転写電圧が印加され、中間転写ベルト７０に転写されたトナー像を記録媒体に二次転写する。トナー像が転写された記録媒体は、除電装置９６により除電される。中間転写ベルト７０の移動方向は張架ローラー７１ｄにより変更される。トナー像が転写された記録媒体は、張架ローラー７１ｄにより移動方向が変更される中間転写ベルト７０から分離され、搬送ガイド９４ｂを介して次の工程である定着ユニット９０に搬送される。
【００４３】
この二次転写ユニット８０での記録媒体の搬送で、記録媒体の中間転写ベルト７０からの分離がなされないと、記録媒体は張架ローラー７１ｄ側に巻き付き、紙詰まりが発生する。特に記録媒体が薄紙の場合は巻き付きによる紙詰まりが多く発生する。それを防止するために、記録媒体分離ローラー１００を二次転写部と記録媒体の搬送路の端部に位置する張架ローラー７１ｄの間に配置する。記録媒体分離ローラー１００を配置することにより、二次転写後の記録媒体は、中間転写ベルト７０から分離され、搬送ガイド９４ｂを経て定着ユニット９０に搬送される。
【００４４】
図３は、本発明の記録媒体のベルトからの分離性を向上させる記録媒体分離ローラー１００を二次転写ユニット８０に適用した他の実施形態を示す図である。この実施形態では、記録媒体の搬送路の端部に位置する張架ローラー７１ｄの配置位置に、張架ローラーを兼ねる記録媒体分離ローラー１００を配置する。記録媒体分離ローラー１００が張架ローラーを兼ねるのでローラーの配置を少なくすることができ、二次転写後の記録媒体は、中間転写ベルト７０から分離され、搬送ガイド９４ｂを経て定着ユニット９０に搬送される。
【００４５】
図４は、本発明の記録媒体のベルトからの分離性を向上させる記録媒体分離ローラー１００を定着ユニット９０に適用した実施形態を示す図である。
【００４６】
定着ユニット９０は、ハロゲンヒータ等の発熱体を内蔵して所定の定着温度に温度制御されるとともに回転駆動される加熱ローラー９０ａと、２つの張架ローラー９０ｃ、９０ｄに張架された加圧ベルト９０ｂから構成される。張架ローラー９０ｃ、９０ｄ間の搬送路において、記録媒体の搬送方向下流側の搬送路の端部に位置する張架ローラー９０ｃ寄りの記録媒体の搬送方向の上流側に記録媒体分離ローラー１００を配置する。記録媒体分離ローラー１００を配置することにより、定着後の記録媒体は、加圧ベルト９０ｂから分離され、搬送ガイド９５ａを経て排紙ローラー９５に搬送され、排紙される。
【００４７】
図５は、本発明の記録媒体のベルトからの分離性を向上させる記録媒体分離ローラー１００の第１実施形態を示す図である。
【００４８】
記録媒体分離ローラー１００は、軸１０１に回転自在に軸支され中間転写ベルト７０または加圧ベルト９０ｂに従動する。
【００４９】
記録媒体分離ローラー１００の表面には、螺旋状の突条１０２が連続して形成される。
図６に示されるように、螺旋状の突条１０２が中間転写ベルト７０または加圧ベルト９０ｂに当接すると、中間転写ベルト７０または加圧ベルト９０ｂは螺旋状の突条１０２に沿って螺旋状に変形する。中間転写ベルト７０または加圧ベルト９０ｂの表面に記録媒体２００が追従できない複雑なうねりを発生させ、記録媒体２００と中間転写ベルト７０または加圧ベルト９０ｂの間に間隙を形成し、記録媒体２００の中間転写ベルト７０または加圧ベルト９０ｂからの分離性を向上することができる。
【００５０】
記録媒体分離ローラー１００の螺旋状の突条１０２は、中間転写ベルト７０または加圧ベルト９０ｂへの当接点移動軌跡が中間転写ベルト７０または加圧ベルト９０ｂの一周の非整数倍となるように形成する。螺旋状の突条１０２の当接点移動軌跡が中間転写ベルト７０または加圧ベルト９０ｂの一周の整数倍とすると、当接点移動軌跡が重なりモアレ縞（干渉縞）が発生するためである。
【００５１】
図７は、本発明の記録媒体のベルトからの分離性を向上させる記録媒体分離ローラー１００の第２実施形態を示す図である。
【００５２】
記録媒体分離ローラー１００は、軸１０１に回転自在に軸支され中間転写ベルト７０または加圧ベルト９０ｂに従動する。
【００５３】
記録媒体分離ローラー１００の表面の軸方向の一方の側には、螺旋状の突条１０２が連続して形成される。また、記録媒体分離ローラー１００の表面の軸方向の他方の側には、一方の側に形成した螺旋状の突条１０２とは螺旋の向きが反対の螺旋状の突条１０２’が形成される。螺旋状の突条１０２、１０２’が中間転写ベルト７０または加圧ベルト９０ｂに当接すると、中間転写ベルト７０または加圧ベルト９０ｂは螺旋状の突条１０２、１０２’に沿って螺旋状に変形する。中間転写ベルト７０または加圧ベルト９０ｂの表面に記録媒体２００が追従できない複雑なうねりを発生させ、記録媒体２００と中間転写ベルト７０または加圧ベルト９０ｂの間に間隙を形成し、記録媒体２００の中間転写ベルト７０または加圧ベルト９０ｂからの分離性を向上することができる。
【００５４】
記録媒体分離ローラー１００の螺旋状の突条１０２、１０２’は、中間転写ベルト７０または加圧ベルト９０ｂへの当接点移動軌跡が中間転写ベルト７０または加圧ベルト９０ｂの一周の非整数倍となるように形成する。螺旋状の突条１０２、１０２’当接点移動軌跡が中間転写ベルト７０または加圧ベルト９０ｂの一周の整数倍とすると当接点移動軌跡が重なりモアレ縞（干渉縞）が発生するためである。
【００５５】
図８は、本発明の記録媒体のベルトからの分離性を向上させる記録媒体分離ローラー１００の第３実施形態を示す図である。
【００５６】
記録媒体分離ローラー１００は、軸１０１に一体とされ、軸１０１の一端に回転駆動手段１０３が配置され回転駆動される。
【００５７】
記録媒体分離ローラー１００の表面には、螺旋状の突条１０２が連続して形成される。
螺旋状の突条１０２が中間転写ベルト７０または加圧ベルト９０ｂの内側に当接すると、中間転写ベルト７０または加圧ベルト９０ｂは螺旋状の突条１０２に沿って螺旋状に変形する。中間転写ベルト７０または加圧ベルト９０ｂの表面に記録媒体２００が追従できない複雑なうねりを発生させ、記録媒体２００と中間転写ベルト７０または加圧ベルト９０ｂの間に間隙を形成し、記録媒体２００の中間転写ベルト７０または加圧ベルト９０ｂからの分離性を向上することができる。
【００５８】
図９（ａ）（ｂ）は、回転駆動手段１０３による記録媒体分離ローラー１００の回転速度Ｖ１と中間転写ベルト７０または加圧ベルト９０ｂの周速度Ｖ２が、Ｖ１＝Ｖ２の場合を示す図である。
【００５９】
Ｖ１＝Ｖ２の場合、中間転写ベルト７０または加圧ベルト９０ｂに、ベルト搬送方向と直交する方向の力は加わらない。
【００６０】
図１０（ａ）（ｂ）は、回転駆動手段１０３による記録媒体分離ローラー１００の回転速度Ｖ１と中間転写ベルト７０または加圧ベルト９０ｂの周速度Ｖ２が、Ｖ１＞Ｖ２の場合を示す図である。
【００６１】
Ｖ１＞Ｖ２の場合、記録媒体分離ローラー１００の螺旋状の突条１０２が当接する中間転写ベルト７０または加圧ベルト９０ｂには、記録媒体分離ローラー１００と中間転写ベルト７０または加圧ベルト９０ｂの速度差による反力として、記録媒体分離ローラー１００の螺旋状の突条１０２の螺旋方向と逆の反螺旋方向の力が加わり、図１０（ｂ）の矢印に示すベルトの搬送方向と直交する方向に中間転写ベルト７０または加圧ベルト９０ｂを寄らせる。
【００６２】
図１１（ａ）（ｂ）は、回転駆動手段１０３による記録媒体分離ローラー１００の回転速度Ｖ１と中間転写ベルト７０または加圧ベルト９０ｂの周速度Ｖ２が、Ｖ１＜Ｖ２の場合を示す図である。
【００６３】
Ｖ１＜Ｖ２の場合、記録媒体分離ローラー１００の螺旋状の突条１０２が当接する中間転写ベルト７０または加圧ベルト９０ｂには、記録媒体分離ローラー１００と中間転写ベルト７０または加圧ベルト９０ｂの速度差による反力として、記録媒体分離ローラー１００の螺旋状の突条１０２の螺旋方向の力が加わり、図１１（ｂ）の矢印に示すベルトの搬送方向と直交する方向に中間転写ベルト７０または加圧ベルト９０ｂを寄らせる。
【００６４】
図１２に示すように中間転写ベルト７０または加圧ベルト９０ｂの近傍に位置センサーＡ、Ｂ、Ｃ、Ｄを配置する。位置センサーセンサーＡ、Ｂ、Ｃ、Ｄにより中間転写ベルト７０または加圧ベルト９０ｂの搬送方向と直交する方向の片寄りを検出する。検出されたデーターに基づいて回転駆動手段１０３を制御することにより、記録媒体分離ローラー１００の回転速度Ｖ１を、中間転写ベルト７０または加圧ベルト９０ｂの周速度Ｖ２に対して調整して、中間転写ベルト７０または加圧ベルト９０ｂの片寄りを修正する。
【符号の説明】
【００６５】
１０：画像形成装置、１５（Ｙ、Ｍ、Ｃ、Ｋ）：画像形成ステーション、２０（Ｙ、Ｍ、Ｃ、Ｋ）：感光体、３０（Ｙ、Ｍ、Ｃ、Ｋ）：帯電ユニット、４０（Ｙ、Ｍ、Ｃ、Ｋ）：露光ユニット、５０（Ｙ、Ｍ、Ｃ、Ｋ）：現像ユニット、６５（Ｙ、Ｍ、Ｃ、Ｋ）：一次転写ローラー、７０：中間転写ベルト、７１ａ：ベルト駆動ローラー、７１ｂ、７１ｄ、７１ｅ，７１ｆ：張架ローラー，８０：二次転写ユニット、８２：二次転写ローラー、９０：定着ユニット、９０ａ：加熱ローラー、９０ｂ：加圧ベルト、９０ｃ、９０ｄ：張架ローラー、９４：ゲートローラー、９４ａ，９４ｂ：搬送ガイド、９５：排紙ローラー、９５ａ：搬送ガイド，９６：除電装置，１００：記録媒体分離ローラー、１０１：軸、１０２：螺旋状の突条、１０３：駆動手段、２００：記録媒体
【図１】
2010169920.tif 000003
【図２】
2010169920.tif 000004
【図３】
2010169920.tif 000005
【図４】
2010169920.tif 000006
【図５】
2010169920.tif 000007
【図６】
2010169920.tif 000008
【図７】
2010169920.tif 000009
【図８】
2010169920.tif 000010
【図９】
2010169920.tif 000011
【図１０】
2010169920.tif 000012
【図１１】
2010169920.tif 000013
【図１２】
2010169920.tif 000014